(57)【要約】  【課題】データを記録媒体に対して高速に記録することを可能とし、また、記録中に記録されているデータの再生を可能とする。  【解決手段】Ｎ倍速で再生され、データ供給源１から高速で供給されたＡＶデータは、そのままのデータ形式でもって、パス２、システムバス３およびパス２１を介して、一旦記憶装置５に対して非圧縮データ２２として記憶される。記憶された非圧縮データ２２は、圧縮・暗号化／伸張・復号化装置６が使用可能な時間に処理され、圧縮データ１８として保存され、一方、不要となった対応する非圧縮データ２２が削除される。圧縮・暗号化／伸張・復号化装置６は、圧縮・暗号化部７と伸張・復号化部８と、伸張・復号化部８を通らないバイパス２４を有する。記録中に、記憶装置５に保存されている任意の圧縮データ１８、または記録中のデータそのものを再生することができる。【選択図】図１
2006202474.tif 000002
【特許請求の範囲】
【請求項１】
非圧縮信号が入力される入力手段と、
一倍速で再生した速度よりも速い速度で上記非圧縮信号を記憶媒体に記録する記録手段と、
上記記憶媒体から上記非圧縮信号を読み出す読み出し手段と、
上記記憶媒体に記録された上記非圧縮信号を圧縮し圧縮信号を生成する圧縮手段と、
上記記録手段が上記入力手段から入力される非圧縮信号を上記記憶媒体に記録するように制御する制御手段と、を備え、
上記制御手段は、
上記読み出し手段が上記記憶媒体から上記非圧縮信号を読み出し、上記圧縮手段が上記記憶媒体に記録された上記非圧縮信号を圧縮して上記圧縮信号を生成し、上記記録手段が上記記憶媒体に上記圧縮信号を記録するように制御することを特徴とする記録装置。
【請求項２】
上記記憶媒体に記録された上記非圧縮信号は、上記記憶媒体に上記圧縮信号が記録されたときに消去されることを特徴とする請求項１記載の記録装置。
【請求項３】
上記読み出し手段は、上記記憶媒体に記録された上記圧縮信号を読み出し、
上記制御手段は、上記記憶媒体に記録された上記圧縮信号を読み出すように制御することを特徴とする請求項１記載の記録装置。
【請求項４】
上記記憶媒体に記録された上記圧縮信号を伸張して再生信号を生成する伸張手段と、
上記再生信号を再生する再生手段と、をさらに備え、
上記制御手段は上記入力手段から入力される上記非圧縮信号を上記記録手段によって上記記憶媒体に記録している間に、上記記憶媒体に保存されている別の圧縮信号を上記読み出し手段が読み出し、上記伸張手段が上記別の圧縮信号から再生信号を生成し、上記再生手段が上記再生信号を再生するように制御することを特徴とする請求項１記載の記録装置。
【請求項５】
上記制御手段は、
システム負荷が低いときに上記読み出し手段が上記記憶媒体から上記非圧縮信号を読み出し、上記圧縮手段が上記記憶媒体に記録された上記非圧縮信号を圧縮して上記圧縮信号を生成し、上記記録手段が上記記憶媒体に上記圧縮信号を記録するように制御することを特徴とする請求項１記載の記録装置。
【請求項６】
上記記録手段に記録された上記非圧縮信号を再生する再生手段をさらに備え、
上記制御手段は、
上記入力手段から入力される非圧縮信号を上記記録手段によって上記記憶媒体に記録させながら上記記憶媒体に記録された上記非圧縮信号を読み出して上記出力手段から再生を行うことを特徴とする請求項１記載の記録装置。
【請求項７】
上記制御手段は上記入力手段から入力される非圧縮信号を、上記圧縮手段により圧縮する処理速度よりも速い速度で上記記録手段によって上記記憶媒体に記録するように制御することを特徴とする請求項６記載の記録装置。
【発明の詳細な説明】
【技術分野】
【０００１】
この発明は、例えばオーディオデータおよび／またはビデオデータの記録装置に関する。
【背景技術】
【０００２】
データ供給源からのオーディオおよび／またはビデオデータ( 以下、単にＡＶデータと称する) をパソコン（パーソナルコンピュータ）のハードディスク装置に記録し、また、ハードディスク装置から出力することが可能である。図５は、そのような記録再生装置の一例を示す。図５において、１がデータ供給源例えばＣＤ(Compact Disc)−ＲＯＭドライブを示す。ＣＤ−ＲＯＭドライブによって例えばＣＤ−ＤＡ(Digital Audio) が再生され、オーディオデータが再生できる。ＣＤ−ＲＯＭドライブに限らず、ＣＤプレーヤをデータ供給源１として使用しても良い。データ供給源１からのＡＶデータがパス２を介してシステムバス３に供給される。
【０００３】
システムバス３に対して、ＣＰＵ４、記憶装置（例えばハードディスク装置）５、圧縮・暗号化／伸張・復号化装置６が接続されている。この構成は、一般的なパソコンにより実現されるものであり、圧縮・暗号化／伸張・復号化装置６の全体または一部がソフトウェアにより実現されることもある。ＣＰＵ４は、データの転送、記憶装置５の書き込み／読み出し動作、圧縮・暗号化／伸張・復号化装置６の動作等を制御する。
【０００４】
圧縮・暗号化／伸張・復号化装置６は、圧縮・暗号化部７と伸張・復号化部８とを有する。圧縮・暗号化部７は、パス１３を介してシステムバス３から受け取ったＡＶデータに圧縮符号化を行い、圧縮データに対して暗号化を行う。圧縮および暗号化されたデータがパス１４を介してシステムバス３に出力される。
【０００５】
記憶装置５に対しては、システムバス３からパス１７を介して入力される圧縮・暗号化されたデータ（以下、単に圧縮データと称する）１８が記憶される。また、パス１９を介してシステムバス３に対して圧縮データ１８が出力される。記憶装置５に対して圧縮データを記憶することによって、記憶装置５の記憶容量を有効に利用できる。また、暗号化されたデータを記憶することによって、ＡＶデータの著作権の保護を図ることができる。
【０００６】
伸張・復号化部８は、システムバス３およびパス１５を介して圧縮データ１８を記憶装置５から受け取り、暗号化の復号化と圧縮の伸張を行う。復号化され、伸張されたデータがパス１６を介してシステムバス３に送出される。また、伸張・復号化部８によって、復号され、伸張されたＡＶデータがパス９を介してＤ／Ａ変換器１０に供給される。Ｄ／Ａ変換器１０によって、ディジタルからアナログに変換されたオーディオ信号がアナログ出力部１２に取り出される。
【０００７】
データ供給源１からのＡＶデータを記憶装置５に記録する時には、（データ供給源１→パス２→システムバス３→パス１３→圧縮・暗号化部７→パス１４→システムバス３→パス１７→記憶装置５）の経路でもってデータが流れ、圧縮データ１８が記憶装置５に記憶される。記憶装置５に記憶されている圧縮データ１８を再生する時には、（記憶装置５→パス１９→システムバス３→パス１５→伸張・復号化部８→パス９→Ｄ／Ａ変換器１０→アナログ出力部１２）の経路でもってデータが流れる。
【発明の開示】
【発明が解決しようとする課題】
【０００８】
上述した記録再生システムは、データ供給源１からのＡＶデータを高速で記録することができない問題があった。ＣＤプレーヤ、ＣＤ−ＲＯＭドライブ、ＤＶＤ(Digital Versatile Disc またはDigital Video Disc) ドライブ等は、Ｎ倍速の高速データ転送が可能であるので、データ供給源１が高速記録の実現上、ネックとはならない。また、パス２等のパス、システムバス３も高速動作可能である。さらに、記憶装置５の記録速度も充分速いので、問題がない。問題となるのは、圧縮・暗号化／伸張・復号化装置６の処理能力が低いことである。これが高速記録を実現する上でボトルネックとなり、システム全体の処理性能が装置６に依存していた。
【０００９】
システムの高速記録を可能とするためには、圧縮・暗号化／伸張・復号化装置６として高性能なものが要求される。しかしながら、一般的にデータの圧縮・暗号化には、複雑な演算処理が必要であり、高速化が難しく、また、高速な装置は、高価であった。
【００１０】
また、圧縮・暗号化／伸張・復号化装置６は、通常、圧縮・暗号化部７と伸張・復号化部８とが一部の回路を共有しているので、両方が同時に動作することができない。その結果、データの記録中では、記憶装置５に保存されている任意のデータを伸張・復号化することができない問題があった。
【００１１】
したがって、この発明の目的は、データの圧縮・暗号化の処理性能によらず、高速記録を可能とし、また、データの圧縮・暗号化を行って記録するのと同時に、保存されている異なるデータを再生することが可能な記録装置および記録再生装置を提供することにある。
【課題を解決するための手段】
【００１２】
上述した課題を解決するために、この発明は、
非圧縮信号が入力される入力手段と、
一倍速で再生した速度よりも速い速度で非圧縮信号を記憶媒体に記録する記録手段と、
記憶媒体から非圧縮信号を読み出す読み出し手段と、
記憶媒体に記録された非圧縮信号を圧縮し圧縮信号を生成する圧縮手段と、
記録手段が入力手段から入力される非圧縮信号を記憶媒体に記録するように制御する制御手段と、を備え、
制御手段は、
読み出し手段が記憶媒体から非圧縮信号を読み出し、圧縮手段が記憶媒体に記録された非圧縮信号を圧縮して圧縮信号を生成し、記録手段が記憶媒体に圧縮信号を記録するように制御することを特徴とする記録装置である。
【発明の効果】
【００１３】
この発明によれば、一倍速で再生した速度よりも速い速度で非圧縮のデータを記録媒体に記録することによって、低速処理の圧縮／伸張装置を使用したとしても、高速記録を達成できる。また、この発明では、記録時に圧縮処理を行わないので、一つの圧縮／伸張装置しか備えない場合でも、記録と同時に再生を行うことができる。
【発明を実施するための最良の形態】
【００１４】
以下、この発明の一実施形態について説明する。一実施形態は、図５と同様のシステムに対してこの発明を適用したものである。すなわち、データ供給源１からのＡＶデータを例えばパソコンの記憶装置５（例えばハードディスク装置）に記録し、また、記憶装置５から出力するものである。データ供給源１がＣＤ−ＲＯＭドライブ、ＣＤプレーヤ、ＤＶＤドライブ等である。ＣＤ−ＲＯＭドライブによって、ＣＤ−ＤＡがＮ倍速（２４倍速、４８倍速等）で再生されることによって、高速でＡＶデータがパス２を介してシステムバス３に供給される。データ供給源１は、記録媒体の再生装置ではなく、音楽配信システムのように、ネットワークを介して送信されるデータを受信する受信部の場合もありうる。さらに、これらのドライブ、受信部等の複数の入力装置と、その中の一つを制御する選択部とからデータ供給源１が構成されていても良い。
【００１５】
システムバス３に対して、ＣＰＵ４、記憶装置５、圧縮・暗号化／伸張・復号化装置６、操作部１３および表示部１４が接続されている。ＣＰＵ４は、プログラムに従い、また、操作部１３からの操作信号を受け取って、データの転送、記憶装置５の書き込み／読み出し動作、圧縮・暗号化／伸張・復号化装置６の動作、表示部１４の表示動作等を制御する。操作部１３は、ユーザにより操作されるキーボード、スイッチ、ＧＵＩ等である。ユーザが操作部１３を操作することによって、動作（記録動作、再生動作等）が指定され、また、記録／再生するデータが指定される。表示部１４には、動作状態の表示、記録／再生されるデータの表示等がなされる。図１の構成は、一般的なパソコンにより実現されるものであり、圧縮・暗号化／伸張・復号化装置６の全体または一部がソフトウェアにより実現されることもある。
【００１６】
圧縮・暗号化／伸張・復号化装置６は、圧縮・暗号化部７と伸張・復号化部８とを有し、圧縮・暗号化部７は、パス１３を介してシステムバス３から受け取ったＡＶデータに圧縮符号化を行い、圧縮データに対して暗号化を行い、圧縮および暗号化されたデータがパス１４を介してシステムバス３に出力される。
【００１７】
伸張・復号化部８は、システムバス３およびパス１５を介して圧縮データ１８を受け取り、暗号化の復号化と圧縮の伸張を行う。復号化され、伸張されたデータがパス１６を介してシステムバス３に送出される。また、伸張・復号化部８によって、復号され、伸張されたＡＶデータがパス９を介してＤ／Ａ変換器１０に供給される。Ｄ／Ａ変換器１０によって、ディジタルからアナログに変換されたオーディオ信号がアナログ出力部１２に取り出される。
【００１８】
一実施形態では、伸張・復号化部８を通らない経路（バイパスと称する）２４が圧縮・暗号化／伸張・復号化装置６の内部または外部に設けられている。バイパス２４を通ったＡＶデータがパス９を介してＤ／Ａ変換器１０に供給される。Ｄ／Ａ変換器１０に対して、伸張・復号化部８の出力とバイパス２４を通ったデータとが選択的に供給される。この選択は、ＣＰＵ４によって制御される。
【００１９】
記憶装置５に対しては、システムバス３からパス１７を介して入力されるＡＶデータが非圧縮データ２２として一時的に記憶され、その後では、圧縮データ１８が記憶される。また、パス１９を介してシステムバス３に対して圧縮データ１８が出力される。記憶装置５に対して圧縮データを記憶することによって、記憶装置５の記憶容量を有効に利用できる。また、暗号化されたデータを記憶することによって、ＡＶデータの著作権の保護を図ることができる。
【００２０】
ＡＶデータの圧縮方式としては、ＡＶデータがオーディオデータの場合には、ＡＴＲＡＣ(Adaptive Transfer Acoustic Coding) 、ＭＰ３(MPEG1 Audio Layer III) 等を使用でき、ＡＶデータがビデオデータの場合には、ＭＰＥＧ等を使用できる。例えばＡＴＲＡＣを使用した場合には、データを１／１０以下に圧縮することができる。暗号化方式としては、スクランブル、ＤＥＳ(Data Encryption Standard)、電子透かし情報の埋め込み等を使用できる。
【００２１】
データ供給源１からのＡＶデータは、例えば規定容量単位でブロック化されており、圧縮・暗号化部７は、ブロック単位で圧縮を行うようにされている。オーディオデータの圧縮符号化としてＡＴＲＡＣを使用している時には、ＡＴＲＡＣで圧縮されるデータ量またはその整数倍のオーディオデータが１ブロックとされる。ビデオデータの場合には、圧縮符号化としてＭＰＥＧを使用している時には、１ビデオフレームまたはその整数倍のデータが１ブロックとされる。これらのブロックのサイズは、一例であって、種々のサイズを設定することができる。
【００２２】
この一実施形態では、圧縮データ１８以外に圧縮・暗号化されていない非圧縮データ２２が記憶装置５に記憶される。非圧縮データは、システムバス３とパス２１とを介して記憶装置５に記憶され、また、パス２３を介してシステムバス３に出力される。すなわち、データ供給源１から供給されたＡＶデータは、そのままのデータ形式でもって、パス２、システムバス３およびパス２１を介して、一旦記憶装置５に対して非圧縮データ２２として記憶される。
【００２３】
このように、データ供給源１からのＡＶデータを記憶装置５に非圧縮データとし記録するので、圧縮・暗号化／伸張・復号化装置６を経由しない。それによって、データ供給源１の能力を最大限活かして高速記録が可能となる。また、圧縮・暗号化／伸張・復号化装置６として、高速処理が可能なもの（一般的に高価である）を使用する必要性がなくなる。
【００２４】
非圧縮データを記憶装置５に記録することは、記憶容量の使用効率の低下、並びに著作権保護の面で問題が生じる。この問題は、データ供給源１からのデータを記憶装置５に転送し、記憶装置５に非圧縮データ２２を一時的に記憶し、最終的には、圧縮・暗号化がなされた圧縮データ１８を記憶することによって解決している。すなわち、一旦記憶装置５に記憶された非圧縮データ２２は、圧縮・暗号化／伸張・復号化装置６が使用可能な時間に処理され、圧縮データ１８として保存され、一方、不要となった非圧縮データ２２は、完全に削除される。
【００２５】
この圧縮・暗号化の処理と、非圧縮データの削除の処理は、システム負荷が低い時間にバックグラウンドで行うことが可能であるので、ユーザが選択した処理の応答速度に影響しない。一実施形態では、このように、非圧縮データを圧縮・暗号化を行い、その結果の圧縮データが記憶装置５に記憶されると、対応する非圧縮データが記憶装置５から削除（消去）される。圧縮データの記録と、対応する非圧縮データの削除とは、ブロック単位、ファイル単位等の所定のデータ量毎に行われる。
【００２６】
また、一実施形態においては、一つの圧縮・暗号化／伸張・復号化装置６しか備えていないが、それにもかかわらず、データの記録時でも、記録中のデータそのもの、または記憶装置５に保存されている任意の圧縮データ１８を再生することが可能である。
【００２７】
記憶装置５に非圧縮データを記憶する場合、ＣＰＵ４によって図２に示すような属性データが非圧縮データのファイル毎に付加され、属性データおよび非圧縮データが非圧縮データ２２として記憶装置５に記憶される。図２において、２２ａが非圧縮データ（ＡＶデータ）のファイルであり、２２ｂがファイル毎に付加される属性データである。オーディオデータの場合には、１曲が１ファイルに対応付けられることが多い。ビデオデータの場合には、静止画であれば、１枚の画像が１ファイルに対応付けられ、動画の場合であれば、撮影開始から撮影終了までの一連の動画が１ファイルに対応付けられることが多い。属性データ２２ｂには、データサイズ３１、ファイル名３２、読み出し許可フラグ３３等が含まれる。属性データ２２ｂは、記憶装置５からのデータの読み出しの制御に使用される。
【００２８】
データサイズ３１は、非圧縮データのファイルサイズを示すものである。ファイル名３２は、データ供給源１から与えられる非圧縮データファイルのファイル名である。ファイル名３２は、ＣＰＵ４が付与するものに限らず、ユーザの操作によって付与されることも可能である。さらに、ファイル名によって、ファイルを特定するのに加えて、圧縮／非圧縮の区別をしても良い。読み出し許可フラグ３３は、非圧縮データを記憶装置５から読み出すことが可能か否かを示すフラグである。フラグ３３が読み出し許可を示している場合には、記憶装置５からその非圧縮データ２２を読み出すことができる。一方、フラグ３３が読み出し不許可を示している場合には、圧縮・暗号化部７による圧縮・暗号化のためにのみ、読み出しが許可される。なお、圧縮データ１８に対しても、データサイズ、ファイル名等の属性データが付加される。属性データは、ファイル管理情報として記憶装置５に記憶される。
【００２９】
この発明の一実施形態について、図３および図４のフローチャートを参照してより詳細に説明する。図３は、ＡＶデータを高速記録するのと同時に、記録しているＡＶデータを通常速度で再生する場合の処理の流れを示す。図４は、ＡＶデータを高速記録している時に、他のＡＶデータ（圧縮データ）を再生する場合の処理の流れを示す。これらのフローチャートに示される処理は、ＣＰＵ４が行う制御である。
【００３０】
図３の処理について、最初に記録側の処理の流れについて説明する。データ供給源１からの１番目のＡＶデータ（１番目のファイル）が供給され（ステップＳ１）、パス２およびシステムバス３を介して記憶装置５へＮ倍速でデータが転送される（ステップＳ２）。ステップＳ３において、記憶装置５に非圧縮データ２２として記憶される。この場合、ブロック単位の区切りを非圧縮データが有する。
【００３１】
次のステップＳ４では、別のＡＶデータが存在するか否かが決定される。ステップＳ４において、別のＡＶデータが存在するものと決定されると、ステップＳ５において、別のＡＶデータが出力されるように、データ供給源１が切り替えられる。例えばＣＤ上の別の曲（トラック）を再生するように、ドライブが制御される。
【００３２】
ステップＳ６では、ｎ（＝２）番目の入力ＡＶデータがデータ供給源１から供給され、パス２およびシステムバス３を介して記憶装置５へＮ倍速でデータが転送される（ステップＳ７）。ステップＳ８において、記憶装置５に非圧縮データ２２として記憶される。そして、処理が別のＡＶデータが存在するか否かを決定するステップＳ４に戻る。記録するＡＶデータが存在すると、上述したのと同様の記録処理が繰り返される。記憶装置５に記録された非圧縮データ２２に対して属性データが付加され、また、属性データ中の読み出し許可フラグ３３が読み出し許可または不許可を示すものに設定される。例えば１回のみの読み出しが許可され、２回目以降の読み出しが不許可とされる。
【００３３】
上述したように、非圧縮のＡＶデータを記録する処理では、圧縮・暗号化／伸張・復号化装置６の処理を必要としないので、データ供給源１の能力を最大限活かして高速記録が可能となる。また、圧縮・暗号化／伸張・復号化装置６として、低速処理の安価なものを使用できる。
【００３４】
次に、ステップＳ９において、記憶装置５から非圧縮データ２２が読み出される。読み出された非圧縮データがパス２３、システムバス３およびパス１３を介して圧縮・暗号化部７に供給され、圧縮および暗号化の処理が施される（ステップＳ１０）。そして、パス１４、システムバス３およびパス１７を介して圧縮データ１８として記憶装置５に記憶される。圧縮データ１８に付加される属性データ中の読み出し許可フラグは、読み出し許可を示すものとされる。そして、ステップＳ１２では、圧縮・暗号化の処理がされて、記憶装置５に記憶されたデータと同一の非圧縮データのファイルが削除される。以上で高速記録の処理が終了する。圧縮・暗号化の処理（ステップＳ１０）と、非圧縮データの削除の処理（ステップＳ１２）は、システム負荷が低い時間にバックグラウンドで行うようになされる。
【００３５】
上述した高速記録の処理と並行して、記録されるＡＶデータを再生することができる。再生側の処理について説明すると、ステップＳ２１において、記憶装置５に対してＡＶデータが記録されるのと非同期で、記憶装置５から非圧縮データ２２が読み出される。この非圧縮データ２２の読み出しは、通常速度でなされる。通常速度は、データ供給源１の速度（高速）に対するものである。例えばＣＤ−ＤＡを通常のＣＤプレーヤと同様に、１倍速で再生した時のオーディオデータのレートが通常速度である。記憶装置５には、ＡＶデータが高速で書き込まれ、一方、非圧縮データ２２が非同期で読み出される時に、書き込み速度と読み出し速度の速度差は、記憶装置５によって吸収される。
【００３６】
読み出された非圧縮データが通常速度で転送される（ステップＳ２２）。そして、ステップＳ２３において、ＡＶデータの再生がなされる。すなわち、読み出された非圧縮データが（パス２３→システムバス３→バイパス２４→パス９→Ｄ／Ａ変換器１０→パス１１→出力部１２）の経路で再生される。このように、圧縮・暗号化／伸張・復号化装置６がバイパスされ、その機能が使用されない。したがって、高速記録時のステップＳ１０（ＡＶデータの圧縮および暗号化）の処理を支障無く行うことができる。
【００３７】
図４を参照して、ＡＶデータを高速記録している時に、他のＡＶデータ（圧縮データ）を再生する場合の処理について説明する。ＡＶデータの高速記録の処理は、図３に示されるものと同様であり、対応するステップに同一の参照符号を付して、その説明を省略する。
【００３８】
再生側では、ステップＳ２５において、記憶装置５から圧縮データ１８が読み出される。圧縮データは、（パス１９→システムバス３→パス１５）の経路を介して、圧縮・暗号化／伸張・復号化装置６内の伸張・復号化部８に供給され、暗号化の復号化と、圧縮符号化の伸張とがなされる（ステップＳ２６）。復号化および伸張の処理で得られたＡＶデータが（パス９→Ｄ／Ａ変換器１０→パス１１）の経路を介して、通常速度でもって出力部１２に出力される（ステップＳ２７）。このように、ＡＶデータが再生される（ステップＳ２８）。
【００３９】
再生処理において、圧縮・暗号化／伸張・復号化装置６が使用されるので、ステップＳ９、Ｓ１０、Ｓ１１およびＳ１２の処理（ＡＶデータの圧縮および暗号化と、対応する非圧縮データの削除）は、装置６が使用可能となるまで（再生が完了するまで）待たされる（ステップＳ１３）。ステップＳ１３において、圧縮・暗号化／伸張・復号化装置６が開放されると、ステップＳ９（非圧縮データの読み出し）、ステップＳ１０（ＡＶデータの圧縮および暗号化）、ステップＳ１１（記憶装置５への保存）、ステップＳ１２（非圧縮データの削除）までの処理が実行される。
【００４０】
図４のフローチャートに示される処理から分かるように、高速記録中のＡＶデータとは異なり、記憶装置５に保存されている任意の圧縮データ１８を高速記録と同時に再生することが可能である。
【００４１】
さらに、図４に示す処理においては、属性データ中の読み出し許可フラグを使用して、圧縮に利用される以外の記憶装置５からの非圧縮データの読み出しを禁止することで、圧縮に利用される以外の目的で記憶装置５から非圧縮データを読み出すことを禁止するようにしても良い。
【００４２】
なお、一実施形態では、圧縮と暗号化の処理、並びに伸張と復号化の処理を行っているが、暗号化および復号化の処理を行わなうことは、必ずしも必要ではない。また、この発明は、ＡＶデータ以外にコンピュータソフトウェアのようなディジタルデータの記録／再生に対しても適用できる。さらに、この発明では、記憶装置５として、ハードディスク以外に半導体メモリ例えばフラッシュメモリを使用することができる。
【図面の簡単な説明】
【００４３】
【図１】この発明の一実施形態のシステム全体の構成を示すブロック図である。
【図２】この発明の一実施形態における属性データを説明するための略線図である。
【図３】この発明の一実施形態における記録および再生動作の一例を説明するためのフローチャートである。
【図４】この発明の一実施形態における記録および再生動作の他の例を説明するためのフローチャートである。
【図５】この発明を説明するための記録再生システムの一例のブロック図である。
【符号の説明】
【００４４】
１・・・データ供給源
３・・・システムバス
４・・・ＣＰＵ
５・・・記憶装置
６・・・圧縮・暗号化／伸張・復号化装置
７・・・圧縮・暗号化部
８・・・伸張・復号化部
１８・・・圧縮データ
２２・・・非圧縮データ
【図１】
2006202474.tif 000003
【図２】
2006202474.tif 000004
【図３】
2006202474.tif 000005
【図４】
2006202474.tif 000006
【図５】
2006202474.tif 000007